(57)【要約】【課題】  着用者の審美性と安全性とのバランスをとるために、従来技術の欠点に対応するためのパターンを有するコンタクトレンズを提供する。【解決手段】  本発明は、パターンを備えるコンタクトレンズを提供する。該パターンを備えるコンタクトレンズは、レンズ本体、パターン層及び保護層を備える。レンズ本体は、中央領域、及び中央領域を取り囲む周辺領域を有する。パターン層と保護層はいずれも周辺領域に配置される。パターン層は保護層によりカバーされてパターン層を外部から隔離する。なかでも、保護層の最大外径は下記の条件を満たし、Ｗ２＋Ｗ２×０．１％＜Ｗ１＜Ｗ２＋Ｗ２×２０％。Ｗ１は保護層の最大外径を表し、Ｗ２はパターン層の最大外径を表す。それにより、着用者の目が直接にパターン層と接触することを防止することができる。【選択図】図１
2020112712.tif 000002
【特許請求の範囲】
【請求項１】
中央領域及び前記中央領域を取り囲む周辺領域を有するレンズ本体と、
前記周辺領域に配置されるパターン層と、
前記周辺領域に配置されるとともに前記パターン層を外部から隔離されるようにパターン層をカバーする保護層と、
を備え、
前記保護層の最大外径であるＷ１と、前記パターン層の最大外径であるＷ２とは、下記の条件を満たす
Ｗ２＋Ｗ２×０．１％＜Ｗ１＜Ｗ２＋Ｗ２×２０％
ことを特徴とする、パターンを備えるコンタクトレンズ。
【請求項２】
前記保護層の最大外径は６ミリメートル以上である、ことを特徴とする、請求項１に記載するパターンを備えるコンタクトレンズ。
【請求項３】
前記パターン層は、色が異なる複数の着色層を含み、
複数の前記着色層は、所定のパターンを構成するように互いに分離されて構成されることを特徴とする、請求項１に記載するパターンを備えるコンタクトレンズ。
【請求項４】
前記パターン層は、色が異なる複数の着色層を含み、
複数の前記着色層は、所定のパターンを構成するように互いに重ねて構成されることを特徴とする、請求項１に記載するパターンを備えるコンタクトレンズ。
【請求項５】
複数の前記着色層は第１の着色層および第２の着色層を含み、
前記第１の着色層が第１の混色領域を備え、前記第２の着色層の一部は前記第１の混色領域に重ねるように構成される、ことを特徴とする、請求項４に記載するパターンを備えるコンタクトレンズ。
【請求項６】
複数の前記着色層は、第１の着色層、第２の着色層及び第３の着色層を含み、
前記第１の着色層は、互いに隣り合う第１の混色領域と第２の混色領域を備え、前記第２の着色層の一部は前記第１の混色領域に重ねて、前記第３の着色層の一部は前記第２の混色領域に重ねる、ことを特徴とする、請求項４に記載するパターンを備えるコンタクトレンズ。
【請求項７】
前記中央領域の投影面積は、前記レンズ本体の総面積の１５％から２５％である、ことを特徴とする、請求項１〜６のいずれか１項に記載のパターンを備えるコンタクトレンズ。
【請求項８】
前記周辺領域の投影面積は、前記レンズ本体の総面積の７５％から８５％である、ことを特徴とする、請求項１〜６のいずれか１項に記載のパターンを備えるコンタクトレンズ。
【請求項９】
前記レンズ本体の外面には凹部空間が設けられ
前記保護層と前記パターン層とはいずれも前記凹部空間に収納される、ことを特徴とする、請求項１〜８のいずれか１項に記載のパターンを備えるコンタクトレンズ。
【請求項１０】
前記保護層は、膜形成性高分子、親水性高分子及び溶媒を含み、
前記保護層の総重量を基に、前記膜形成性高分子の含有量は１５％と５０％との間にあり、前記親水性高分子の含有量は５％と４０％との間にあり、前記溶媒の含有量は３０％と９０％との間にある、ことを特徴とする、請求項１〜９のいずれか１項に記載のパターンを備えるコンタクトレンズ。
【発明の詳細な説明】
【技術分野】
【０００１】
本発明は、コンタクトレンズに関し、特にパターンを備えるコンタクトレンズに関する。
【背景技術】
【０００２】
情報化社会の到来後、スマートフォンやコンピュータなどの３Ｃ製品の頻繁な使用は、近視の割合の増加につながるだけでなく、近視の年齢層の低下を招いた。審美性と使いやすさを考慮すると、コンタクトレンズを着用することは好ましい選択である。
【０００３】
近年、コンタクトレンズの開発は、視力を補正する基本的な機能からさらに目の美化の目的が加わる。すなわち、目の美化の目的を達成するために、特定の色、パターンまたはそれらの組み合わせをレンズ内に配置する。今、近視でなくてもカラーコンタクトレンズを長時間着用している人は多いが、カラーコンタクトレンズを作るために使用される着色材料は、目に多少なりともダメージを与えることになる。
【０００４】
また、カラーコンタクトレンズの装着時や洗浄時には、レンズ体が繰り返し屈曲されることが多く、着色層で形成されたパターンの輪郭がレンズ体に巻き付くように変形して不均一になり、さらに激しくなると、着色剤が落ちて、目に損傷を与えてしまうおそれがある。
【発明の概要】
【発明が解決しようとする課題】
【０００５】
本発明によって解決されるべき技術的課題は、着用者の審美性と安全性とのバランスをとるために、従来技術の欠点に対応するためのパターンを有するコンタクトレンズを提供することである。
【０００６】
本発明が解決しようとするさらに他の課題としては、従来の技術の不足に対し、回路基板内の回路で光学素子が外れ落ちたかどうかについて検出できる光学モジュールを提供することである。
【課題を解決するための手段】
【０００７】
上記の課題を解決するために、本発明が採用する１つの技術方案としては、下記のパターンを備えるコンタクトレンズを提供する。該パターンを備えるコンタクトレンズは、レンズ本体、パターン層及び保護層を含む。前記レンズ本体は、中央領域、及び前記中央領域を取り囲む周辺領域を含む。前記パターン層は前記周辺領域に配置される。前記保護層は、前記周辺領域に配置されて前記パターン層をカバーし、それにより、前記パターン層を外部から隔離する。なかでも、前記保護層の最大外径であるＷ１と、前記パターン層の最大外径であるＷ２が下記の条件を満たし、Ｗ２＋Ｗ２×０．１％＜Ｗ１＜Ｗ２＋Ｗ２×２０％。
【０００８】
本発明の実施形態において、前記保護層の最大外径は、６ミリメートル以上である。
【０００９】
本発明による１つの実施形態において、前記パターン層は色が異なる複数の着色層を含み、かつ、複数の前記着色層は互いに分離されて所定のパターンに形成される。
【００１０】
本発明による１つの実施形態において、前記パターン層は、色が異なる複数の着色層を含み、複数の前記着色層が重ねられて所定のパターンに構成される。
【００１１】
本発明による１つの実施形態において、複数の前記着色層はそれぞれ第１の着色層と第２の着色層と別れられて、前記第１の着色層は、第１の混色領域を有し、前記第２の着色層の一部は前記第１の混色領域に重ねられる。
【００１２】
本発明による１つの実施形態において、複数の前記着色層はそれぞれ、第１の着色層、第２の着色層及び第３の着色層に分かれられて、前記第１の着色層は、隣り合う第１の混色領域と第２の混色領域を含む。前記第２の着色層の一部は前記第１の混色領域に重ねられ、前記第３の着色層の一部は前記第２の混色領域に重ねられる。
【００１３】
本発明による１つの実施形態において、前記中央領域の投影面積は前記レンズ本体の総面積の１５％から２５％である。
【００１４】
本発明による１つの実施形態において、前記周辺領域の投影面積は、前記レンズ本体の総面積の７５％から８５％である。
【００１５】
本発明による１つの実施形態において、前記レンズ本体の外面には、内方に窪んだ凹部空間が設けられ、前記保護層と前記パターン層はいずれも前記凹部空間に収納される。
【００１６】
本発明による１つの実施形態において、前記保護層は膜形成性高分子、親水性高分子及び溶媒を含む。前記保護層の総重量を基に、前記膜形成性高分子の含有量は１５％と５０％との間にあり、前記親水性高分子の含有量は５％と４０％との間にあり、前記溶媒の含有量は３０％と９０％との間にある。
【発明の効果】
【００１７】
本発明による有益な効果の１つとしては、本発明が提供するパターンを備えるコンタクトレンズでは、「保護層がパターン層をカバーしてパターン層を外部から隔離して、かつ、保護層とパターン層との最大外径が特定の条件を満たす」という技術手段により、パターン層でレンズ本体に所定な飾り効果を示させ、かつ、パターン層におけるパターンの輪郭は、レンズ本体の絞りにより変形されないし、パターン層の色材が露出したり、落ちたりして着用者の目に損傷を与えることさえない。
【図面の簡単な説明】
【００１８】
【図１】本発明にかかるパターンを備えるコンタクトレンズを示す断面模式図である。
【図２】図１におけるＩＩ部分を示す拡大模式図である。
【図３】本発明にかかるパターンを備えるコンタクトレンズを示す上面模式図である。
【図４】本発明にかかるパターンを備えるコンタクトレンズによるパターン層の第１の実施形態を示す、図１のＩＩ部分を示す他の拡大模式図である。
【図５】本発明にかかるパターンを備えるコンタクトレンズによるパターン層の第２の実施形態を示す、図１のＩＩ部分を示すさらに他の拡大模式図である。
【図６】本発明にかかるパターンを備えるコンタクトレンズによるパターン層の第３の実施形態を示す、図１のＩＩ部分を示すさらに他の拡大模式図である。
【図７】本発明にかかるパターンを備えるコンタクトレンズによる製造過程の模式図である。
【図８】本発明にかかるパターンを備えるコンタクトレンズによる製造過程の模式図である。
【図９】本発明にかかるパターンを備えるコンタクトレンズによる製造過程の模式図である。
【図１０】本発明にかかるパターンを備えるコンタクトレンズによる製造過の程模式図である。
【発明を実施するための形態】
【００１９】
本発明の特徴及び技術内容がより一層分かるように、以下本発明に関する詳細な説明と添付図面を参照する。しかし、提供される添付図面は参考と説明のために提供するものに過ぎず、本発明の特許請求の範囲を制限するためのものではない。
【００２０】
下記より、具体的な実施例で本発明が開示する「パターンを備えるコンタクトレンズ」に係る実施形態を説明する。当業者は本明細書の公開内容により本発明のメリット及び効果を理解し得る。本発明は他の異なる実施形態により実行又は応用できる。本明細書における各細節も様々な観点又は応用に基づいて、本発明の精神逸脱しない限りに、均等の変形と変更を行うことができる。また、本発明の図面は簡単で模式的に説明するためのものであり、実際的な寸法を示すものではない。以下の実施形態において、さらに本発明に係る技術事項を説明するが、公開された内容は本発明を限定するものではない。
【００２１】
「第１の」、「第２の」、「第３の」などの用語は、本明細書では様々な要素または信号を記述するために使用されるが、これらの要素または信号はこれらの用語に制限されるものではないことを理解されたい。これらの用語は、主に、ある要素を別の要素または別の信号と区別するために使用される。さらに、本明細書で使用される「または」という用語は、関連する列挙された項目のいずれか１つまたは複数の組み合わせを含み得る。
【００２２】
他に定義されない限り、本明細書で使用される全ての技術用語および科学用語は、当業者によって一般に理解されるのと同じ意味を有する。用語が単数形で現れる場合、その用語の複数形が含まれる。本明細書で使用される実験室手順は、当該分野で周知であり、一般的に使用されており、そのような手順で使用される方法も、一般的な参考文献に提供されている。
【００２３】
本明細書に記載の百分率は全て、他に指示がない限り重量％である。範囲の上限と下限が指定されている場合、上記の範囲がカバーするすべての組み合わせは、あたかも各組み合わせが明示されていることに相当する。
【００２４】
図１ないし図３を参照する。本発明の実施形態ではパターンを備えるコンタクトレンズＬを提供する。該パターンを備えるコンタクトレンズは、サンドイッチ構造に構成され、レンズ本体１、パターン層２及び保護層３を含む。レンズ本体１は、中央領域Ｃ、及び中央領域Ｃを取り囲む周辺領域Ｐを有する。なかでも、中央領域Ｃは、眼の瞳孔位置に対応し、周辺領域Ｐは、眼の虹彩位置に対応する。パターン層２は、周辺領域Ｐに配置され、保護層３は、周辺領域Ｐに配置され、パターン層２をカバーし、それによりパターン層２が外部から隔離される。本実施形態において、中央領域Ｃの投影面積は、レンズ本体１の投影総面積の１５％から２５％を占め、周辺領域Ｐの投影面積は、レンズ本体１の投影総面積の７５％から８５％を占める。
【００２５】
レンズ本体１は、光透過体であり、着用者の眼球表面と接触するための内面１０１、及び内面１０１と相対的に形成される外面１０２を備える。なかでも、内面１０１は凹面に形成され、外面１０２は凸面に形成される。本実施形態において、レンズ本体１の材料としてはシリコーンヒドロゲル（ｓｉｌｉｃｏｎｅ  ｈｙｄｒｏｇｅｌ）またはヒドロゲル（ｈｙｄｒｏｇｅｌ）であるとともに、トランスファ成形法で一次成形してもよいが、本発明はこれに制限されない。
【００２６】
さらに言えば、シリコーンヒドロゲルは、レンズ本体１の酸素透過性を高めて、それにより、角膜の低酸素の発生を回避できる。適当なシリコーンヒドロゲルは、アメリカ食品医薬品局（ＦＤＡ）が第５グループの材料は、Ｂａｌａｆｉｌｃｏｎ  Ａ、Ｃｏｍｆｉｌｃｏｎ  Ａ、Ｅｆｒｏｆｉｌｃｏｎ  Ａ、Ｅｎｆｉｌｃｏｎ  Ａ、Ｇａｌｙｆｉｌｃｏｎ  Ａ、Ｌｏｔｒａｆｉｌｃｏｎ  Ａ、Ｌｏｔｒａｆｉｌｃｏｎ  Ｂ、Ｎａｒａｆｉｌｃｏｎ  Ａ、Ｎａｒａｆｉｌｃｏｎ  Ｂ、Ｓｅｎｏｆｉｌｃｏｎ  Ａ、Ｄｅｌｅｆｉｌｃｏｎ  Ａ、及びＳｏｍｏｆｉｌｃｏｎ  Ａ等を含む。シリコーンヒドロゲルのレンズ本体１に、必要に応じて他の有益な添加物、例えば、青色光と紫外線吸収剤を添加してもよい。
【００２７】
また、ヒドロゲルは、レンズ本体１の濡れ性と表面潤滑性を高めて、着用時の快適感を高めることができる。適用なヒドロゲルは、ＦＤＡにより第１グループに分類される低含水率（含水量が５０重量％より少ない）の非イオン性ポリマー（ｎｏｎｉｏｎｉｃ  ｐｏｌｙｍｅｒ）、例えば、Ｈｅｌｆｉｌｃｏｎ  Ａ＆Ｂ、Ｈｉｏｘｉｆｉｌｃｏｎ  Ｂ、Ｍａｆｉｌｃｏｎ、Ｐｏｌｙｍａｃｏｎ、ＴｅｆｉｌｃｏｎまたはＴｅｔｒａｆｉｌｃｏｎ  Ａ等であってもよい。適当なヒドロゲルは、ＦＤＡにより第２グループに分類される高い含水率（含水量が５０重量％を超える）の非イオン性ポリマー、例えば、Ａｃｏｆｉｌｃｏｎ  Ａ、Ａｌｆａｆｉｌｃｏｎ  Ａ、Ｈｉｌａｆｉｌｃｏｎ  Ｂ、Ｈｉｏｘｉｆｉｌｃｏｎ  Ａ、Ｈｉｏｘｉｆｉｌｃｏｎ  Ｂ、Ｈｉｏｘｉｆｉｌｃｏｎ  Ｄ、Ｎｅｌｆｉｌｃｏｎ  Ａ、Ｎｅｓｏｆｉｌｃｏｎ  Ａ、Ｏｍａｆｉｌｃｏｎ  ＡまたはＳａｍｆｉｌｃｏｎ  Ａなどであってもよい。適当なヒドロゲルは、ＦＤＡにより第３グループに分類される低含水率（含水量が５０重量％より少ない）のイオン性ポリマー（ｉｏｎｉｃ  ｐｏｌｙｍｅｒ）、例えば、Ｄｅｌｔａｆｉｌｃｏｎ  Ａなどであってもよい。適当なヒドロゲルは、ＦＤＡにより第４グループに分類される高い含水率（含水量が５０重量％を超える）のイオン性ポリマー、例えば、Ｅｔａｆｉｌｃｏｎ  Ａ、Ｆｏｃｏｆｉｌｃｏｎ  Ａ、Ｍｅｔｈａｆｉｌｃｏｎ  Ａ、Ｍｅｔｈａｆｉｌｃｏｎ  Ｂ、Ｏｃｕｆｉｌｃｏｎ  Ａ、Ｏｃｕｆｉｌｃｏｎ  Ｂ、Ｏｃｕｆｉｌｃｏｎ  Ｃ、Ｏｃｕｆｉｌｃｏｎ  Ｄ、Ｏｃｕｆｉｌｃｏｎ  Ｅ、Ｐｈｅｍｆｉｌｃｏｎ  ＡまたはＶｉｆｉｌｃｏｎ  Ａなどであってもよい。
【００２８】
パターン層２と保護層３とは、パッド印刷の手段で成型してもよい。なかでも、保護層３は、レンズ本体１に外面１０２に近接する位置に配置され、パターン層２は、保護層３とレンズ本体１との間に配置される。パターン層２は、保護層３とレンズ本体１とで被覆され外部から隔離される。本実施形態において、レンズ本体１の外面１０２に、凹部空間が設けられ、パターン層２と保護層３とのいずれも凹部空間に収納される。なかでも、パターン層２からレンズ本体１の内面１０１までの最小距離ｄは、５マイクロメートル（μｍ）から１００マイクロメートル（μｍ）である。パターン層２は、最大な接線角度が１０度と８０度の間にある第１の緩斜面部２１を有する。保護層３は、最大な接線角度が５度と４５度の間にある第２の緩斜面部３１を有する。
【００２９】
注意すべき点では、図２に示すように、保護層３は、最大外径Ｗ１を有し、パターン層２は最大外径Ｗ２を有し、保護層３における最大外径Ｗ１は６ミリメートル（ｍｍ）以上であるとともに、「Ｗ２＋Ｗ２×０．１％＜Ｗ１＜Ｗ２＋Ｗ２×２０％」の条件を満たす。これによれば、本発明パターンを備えるコンタクトレンズＬは、全般運用上の要求を満足することができる。かつ、保護層３とパターン層２との間にある程度以上の結合力を有し、パターン層２における色材が外部に拡散して着用者の眼に接触することを防ぐことができる。また、保護層３は、パターン層２に対して効果の良い支持機能を与えることができる。そのため、パターン層２におけるパターンの輪郭は、レンズ本体１の絞りにより変形されることはない。すなわち、パターン層２は、レンズ本体１に安定的に所定の飾り効果を示すことができる。
【００３０】
さらに言えば、パターン層２は、単一または多種類なパターンを含んでもよい。多種類な色となるパターンを例とすれば、図４に示すように、パターン層２は、色が異なる複数の着色層２２を含み、複数の着色層２２は互いに分離されて、パターンに形成される。また、図５及び図６に示すように、複数の着色層２２は互いに重ねられて所定のパターンに形成される。パターン層２の構成については、本発明の要点ではないため、ここではその詳細には触れない。実施に当る場合、パターン層２の組成は、高分子材料、色料及び分散剤を含んでもよいが、本発明はこれに制限されない。
【００３１】
本実施形態において、複数の着色層２２は、第１の着色層２２ａと第２の着色層２２ｂに割り当てられてもよい。第１の着色層２２ａは、第１の混色領域２２ａ１を有し、第２の着色層２２ｂの一部は第１の混色領域２２ａ１に重ねられる。複数の着色層は、第１の着色層２２ａ、第２の着色層２２ｂ及び第３の着色層２２ｃに割り当てられてもよい。第１の着色層２２ａは、第１の混色領域２２ａ１及び第２の混色領域２２ａ２を有し、第２の着色層２２ｂの一部は第１の混色領域２２ａ１に重ねられて、第３の着色層２２ｃの一部は、第２の混色領域２２ａ２に重ねられる。
【００３２】
保護層３は、所定の組成成分は所定の比率で混合される。保護層３は、優れた機械的特性、適度な粘度との親和性を有するとともに、パターン層２とは優れた両立性を有する。それによれば、保護層３は、コンタクトレンズの製造過程において破損されにくく、パターン層２がより安定的にレンズ本体１に被覆されるのに役立つ。保護層３は、優れた加工特性を有し、成型された後金型内に移転しやすくなる。
【００３３】
さらに言えば、保護層３は、膜形成性高分子、親水性高分子及び溶媒を含んでもよい。膜形成性高分子は、ポリエーテルポリオール（ｐｏｌｙｅｔｈｅｒ  ｐｏｌｙｏｌ）、ポリエーテル（ｐｏｌｙｅｔｈｅｒ）、ポリエステルポリオール（ｐｏｌｙｅｓｔｅｒ  ｐｏｌｙｏｌｓ）、ポリアクリル酸およびその誘導体、ポリメチルメタクリレート（ｐｏｌｙｍｅｔｈｙｌｍｅｔｈａｃｒｙｌａｔｅ）及びその誘導体、或いはスチレン  −  アクリル酸共重合体（ｓｔｙｒｅｎｅ−ａｃｒｙｌｉｃ  ａｃｉｄ  ｃｏｐｏｌｙｍｅｒ）からなる群から選ばれる一種または二種以上の組合せである。
【００３４】
例えば、ポリエーテルポリオールは、５０００から５０万の分子量を有してもよい。ポリエーテルポリオールとしては、ポリエチレングリコール（ｐｏｌｙｅｔｈｙｌｅｎｅ  ｇｌｙｃｏｌ）、ポリプロピレングリコール（ｐｏｌｙｐｒｏｐｙｌｅｎｅ  ｇｌｙｃｏｌ）、グリセリン、カプロラクトン（ｃａｐｒｏｌａｃｔｏｎｅ）またはそれらの任意の組み合わせを使用してもよい。ポリエーテルは、５０００から５０万の分子量を有してもよい。ポリエーテルは、エチレンオキシド、プロピレンオキサイド、グリセリンまたはそれらの任意の組み合わせを使用してもよい。ポリエステルポリオールとしては、シュウ酸、マロン酸、グリセリンまたはそれらの任意の組み合わせを使用してもよい。ポリアクリル酸は、５０００から１５０万の分子量を有してもよい。ポリアクリル酸誘導体としては、ポリアクリレート、例えば、アクリル酸のカリウムおよびナトリウム塩を使用してもよい。ポリメチルメタクリレートは５０００から５０万の分子量を有する。スチレン  −  アクリル酸共重合体としては、１０％−９０％のスチレンモノマー及び９０％−１０％のアクリル酸を使用してもよい。
【００３５】
保護層３の総重量を基に、膜形成性高分子の含有量は１％と６０％との間にあってもよいが、１５％と５０％との間にあることが好ましい。仮に膜形成性高分子の含有量を１％よりも少なくした場合、保護層３の粘度特性に悪い影響が及ばされ、レンズ本体１の所定の位置に固定されないことになる。膜形成性高分子の含有量を６０％よりも多くした場合、保護層３の粘度が高すぎて、コンタクトレンズの創造過程に割る影響を及ぼすおそれがある。
【００３６】
親水性高分子は、ポリビニルアルコール（ｐｏｌｙｖｉｎｙｌ  ａｌｃｏｈｏｌ）、セルロースおよびその誘導体（ｃｅｌｌｕｌｏｓｅ  ａｎｄ  ｉｔｓ  ｄｅｒｉｖａｔｉｖｅｓ）、ポリエチレングリコール（ｐｏｌｙｅｔｈｙｌｅｎｅ  ａｌｃｏｈｏｌ）、或いはポリビニルピロリドン及びその共重合体（ｐｏｌｙｖｉｎｙｌｐｙｒｒｏｌｉｄｏｎｅ  ａｎｄ  ｉｔｓ  ｃｏｐｏｌｙｍｅｒ）からなる群から選ばれる一種または二種以上の組合せであってもよい。例を挙げれば、ポリビニルアルコールは、重合度が５００と１００００との間にあるポリマーであってもよい。セルロースは、５０００から５０万の分子量を有してもよい。ポリエチレングリコールは、５００から５０万の分子量を有してもよい。ポリビニルピロリドンは、５０００から１５０万の分子量を有してもよい。
【００３７】
保護層３の総重量を基に、親水性高分子の含有量は、０．１％と４５％との間にあってもよいが、５％と４０％との間にあることが好ましい。仮に、親水性高分子の含有量を１％よりも少なくした場合、保護層３の粘度特性に悪い影響を及ばせ、レンズ本体１の所定位置に固定できないことになる。仮に、親水性高分子の含有量を４５％よりも多くした場合、保護層３の粘度が高すぎてコンタクトレンズの製造過程に悪い影響を及ぼす。また、親水性高分子の含有量は、コンタクトレンズの着用快適感に影響を与える。溶媒としては、水、アルコール及びインドールアミンからなる群から選ばれる一種または二種以上の組合せである。溶媒の具体例としては、エタノール、プロパノール、Ｎ−メチルピロリドン、ジメチルアセトアミド、ジメチルホルムアミドなどである。保護層３の総重量を基に、溶媒の含有量は３０％と９０％との間にある。
【００３８】
下記の表１には、保護層３の複数の実験例を示しており、それらのそれぞれは異なる組成成分及び異なる用量比を有する。下記の表１には、それらの実験例と特定の比較例との評価結果を列挙しており、その中の◎は、成膜または相の転写の成果が優れることを示し、△は、成膜または相の転写の成果がまだ受け入れられることを示し、×は、成膜または相の転写の成果がよくないことを示している。表１からみられるように、特定の組成成分を使用して特定の比率で混合して形成した保護層３は、まだ受け入れられる成膜または相の転写効果が得られる。また、比較例１の溶媒の含有量は３０％よりも少なく、比較例２の膜形成性高分子の含有量は６０％よりも多くなり、比較例３の親水性高分子の含有量は４５％よりも多くなり、比較例１から３のいずれも優れた成膜または相の転写効果が得られない。
【００３９】
【表１】
2020112712.tif 000003
【００４０】
図７ないし図１０を参照する。本発明のパターンを備えるコンタクトレンズＬの細部特徴は上記のように示した。以下はさらにその製造方法を示す。図７に示すように、該製造方法は、まず第１の金型４を提供する。第１の金型４は、雌型金型であってもよい。本実施形態において、第１の金型４の材料は、金属またはプラスチックのいずれであってもよいが、本発明はこれに制限されない。
【００４１】
そして、図７に示すように、シリコンパッド５が保護層３の材料を付けて、該材料をシリコンパッド５にゲル層３’に形成させるように暫く待って、例えば、０．１ｐｓｉｇから２．０ｐｓｉｇ等適当な圧力で該ゲル層３’を第１の金型４の整形面４００に転写して保護層３を形成する。かつ、保護層３に第２の緩斜面部３１を有する。そして、図８または図９に示すように、パターン層２の材料を型板６のパターニング溝６１に埋め込み、しばらく待って、該材料をパターニング溝６１内に他のゲル層２’に形成させた後、例えば、０．１ｐｓｉｇから２．０ｐｓｉｇ等の適当な圧力でそのゲル層２’を保護層３の表面に転写して、固化するとパターン層２に形成する。かつ、パターン層２は、第１の緩斜面部２１を有する。本実施形態において、型板６は鋼板であってもよい。かつ、そのパターニング溝６１は、レーザー彫刻の手段により形成してもよいが、本発明はこれに制限されない。例えば、他の実施形態において、型板６は他の金属材料であってもよい。かつ、そのパターニング溝６１は、化学エッチングの手段で形成してもよい。また、パターン層２に１つ以上の色を使用した場合、すなわち、パターン層２に複数の着色層２２が含まれれば、１つ以上の型板６により複数の転写工程を行う必要を有することがある。
【００４２】
最後に、図１０に示すように、レンズ本体１の材料を第１の金型４に注入してから、第２の金型７を利用して第１の金型４と型締め、すなわち、第２の金型７を第１の金型４に積層して、紫外線（ＵＶ）または熱作用で該材料を固化して、レンズ本体１がパターン層２及び保護層３を被覆する構成に形成する。第１の金型４と第２の金型７とを型締める場合、レンズ本体１の形成を定義することができる。なかでも、整形面４００がレンズ本体１の外面１０２を定義し、整形面７００がレンズ本体１の内面１０１を定義する。本実施形態において、第２の金型７は、雄型金型であってもよい。かつ、第２の金型７の材料は金属またはプラスチックのいずれであってもよいが、本発明はこれに制限されない。
【００４３】
［実施形態による有益な効果］
本発明による１つの有益な効果では、本発明が提供するパターンを備えるコンタクトレンズは、「保護層がパターン層を被覆して、該パターン層を外部から隔離して、かつ、保護層とパターン層との最大外径が特定な条件を満たす」という技術手段により、パターン層がレンズ本体に安定的に所定な飾り効果を示させ、かつ、パターン層におけるパターンの輪郭は、レンズ本体による絞りにより変形されないし、パターン層の色料は露出され、脱落され着用者の目を傷つけることさえならない。
【００４４】
さらに言えば、保護層は特定な組成成分により特定な比率で混合され形成されるため、優れた機械的特性、適度な粘度との親和性を有するとともに、パターン層とは優れた両立性を有する。それによれば、保護層は、コンタクトレンズの製造過程において破損されにくいであり、パターン層がより安定的にレンズ本体に被覆されるのに役立ち。保護層は、優れた加工特性を有し、成型された後金型内に移転しやすくなる。
【００４５】
以上に開示される内容は本発明の好ましい実施可能な実施例に過ぎず、これにより本発明の特許請求の範囲を制限するものではないので、本発明の明細書及び添付図面の内容に基づき為された等価の技術変形は、全て本発明の特許請求の範囲に含まれるものとする。
【符号の説明】
【００４６】
Ｌ  パターンを備えるコンタクトレンズ
１  レンズ本体
１０１  内面
１０２  外面
Ｃ  中央領域
Ｐ  周辺領域
２  パターン層
２１  第２の緩斜面部
２２  着色層
２２ａ  第１の着色層
２２ａ１  第１の混色領域
２２ａ２  第２の混色領域
２２ｂ  第２の着色層
２２ｃ  第３の着色層
Ｗ２  最大外径
２’  ゲル層
３  保護層
３１  第２の緩斜面部
Ｗ１  最大外径
３’  ゲル層
４  第１の金型
４００  整形面
５  シリコンパッド
６  型板
６１  パターニング溝
７  第２の金型
７００  整形面
【図１】
2020112712.tif 000004
【図２】
2020112712.tif 000005
【図３】
2020112712.tif 000006
【図４】
2020112712.tif 000007
【図５】
2020112712.tif 000008
【図６】
2020112712.tif 000009
【図７】
2020112712.tif 000010
【図８】
2020112712.tif 000011
【図９】
2020112712.tif 000012
【図１０】
2020112712.tif 000013